(57)【特許請求の範囲】
【請求項１】
複数のレンズ成分を有し、該複数のレンズ成分の内の少なくとも一つのレンズ成分を光軸方向に駆動する事によってズーミングを行うズームファインダーにおいて、
該ズームファインダーは、少なくとも該複数のレンズ成分を保持するとともに、該レンズ成分を光軸方向に駆動するカムを有するファインダーユニットとして構成され、
前記カムは平カムであり、鏡胴部材が駆動されるとき一体的に駆動される部材により駆動され、該レンズ成分を光軸方向に駆動する事を特徴とするズームファインダー。
【請求項２】
複数のレンズ成分を有し、該複数のレンズ成分の内の少なくとも一つのレンズ成分を光軸方向に駆動する事によってズーミングを行うズームファインダーにおいて、
該ズームファインダーは、少なくとも該複数のレンズ成分を保持するとともに、該レンズ成分を光軸方向に駆動するカムを有するファインダーユニットとして構成され、
該ファインダーユニットがカメラ本体に組み込まれたとき、撮影レンズ鏡胴の一部を成しズーミング時に光軸方向に移動する部材によって上記カムが駆動される構成となることを特徴とするズームファインダー。
【請求項３】
前記カムは、一方の面に前記レンズ成分を駆動するための溝状の有底カムを有し、他方の面に前記鏡胴部材と連動するための溝状の有底カムを有する事を特徴とする請求項１または２に記載のズームファインダー。
【請求項４】
前記カムと前記駆動するレンズ成分とを係合させるための開口部を備え、該開口部は、前記ズーミングを行う駆動領域において、常に前記カムにより覆われている事を特徴とする請求項１ないし３の何れかに記載のズームファインダー。
【請求項５】
前記鏡胴部材は、撮影レンズ鏡胴内の直進筒である事を特徴とする請求項１ないし４の何れかに記載のズームファインダー。
【請求項６】
前記直進筒を取り囲む固定筒を前記撮影レンズ鏡胴内に有し、該固定筒は、前記カムと前記直進筒とを係合させるための開口部を備え、該開口部は、前記ズーミングを行う駆動領域において、常に前記カムにより覆われている事を特徴とする請求項５に記載のズームファインダー。
【請求項７】
ファインダー台板をさらに備え、前記カムは該ファインダー台板に組み込まれている事を特徴とする請求項１ないし６の何れかに記載のズームファインダー。
【請求項８】
前記ファインダー台板はファインダーガイド軸を備え、該ファインダーガイド軸によって前記レンズ成分が保持される事を特徴とする請求項７に記載のズームファインダー。
【請求項９】
前記ファインダー台板に前記レンズ成分が接着固定される事を特徴とする請求項７に記載のズームファインダー。
【発明の詳細な説明】
【０００１】
【発明の属する技術分野】
本発明は、ズームファインダーに関するものであり、更に詳しくは、ファインダーユニットに保持されたファインダーズーム用のカムを、鏡胴部材又はそれと一体に動く部材で駆動する構成のズームファインダーに関するものである。
【０００２】
【従来の技術】
従来より、多くのズームカメラにおいては、ファインダーユニットに保持されたファインダーズーム用のカムを、撮影レンズ鏡胴のズーム駆動系或いはその鏡胴自身と、ギア等で連動させて駆動していた。また、近年では、撮影レンズ鏡胴上に保持されたファインダーズーム用のカムを、その鏡胴の直進筒と連動させて駆動し、ファインダーのズーミングを行う構成を持つズームカメラも出現している。
【０００３】
【発明が解決しようとする課題】
しかしながら、上記前者のような、カムをギア等で連動させる構成では、その連動のための機構部材が必要となるため、カメラのコストダウン及び小型化を図る上で不利である。さらに、その機構部材のバックラッシュ等のガタによって、撮影レンズ鏡胴とファインダーズームとのズレが生じ、ファインダーの倍率が実際に撮影される像に対してずれてしまうという問題が生じる。
【０００４】
また、上記後者のような、鏡胴上のカムを直進筒と連動させる構成では、ファインダーレンズ間の相対位置を決める機構の組立状態が、カメラ全体の組立状態で決まってくるため、前記相対位置がファインダーのズーム性能上重要であるにもかかわらず、その誤差が大きくなり、性能劣化の要因となる。そして、上記ファインダーユニット単独の状態ではカムが含まれていないため、カメラ製造時にそのユニットの状態で機能，性能を確認する事ができない。さらに、そのカムに対するユニット側のカムフォロワーの組み込みを、カメラ全体の組立時に行うため、組み立て難くなる。
【０００５】
本発明は、このような問題点に鑑み、低コストで省スペースであり、且つ撮影レンズ鏡胴とファインダーズームとのズレが少なく、しかも組立性が良くて機能，性能の保障がしやすいズームファインダーを提供する事を目的とする。
【０００６】
【課題を解決するための手段】
上記目的を達成するために、請求項１に記載の発明は、複数のレンズ成分を有し、該複数のレンズ成分の内の少なくとも一つのレンズ成分を光軸方向に駆動する事によってズーミングを行うズームファインダーにおいて、該ズームファインダーは、少なくとも該複数のレンズ成分を保持するとともに、該レンズ成分を光軸方向に駆動するカムを有するファインダーユニットとして構成され、前記カムは平カムであり、鏡胴部材が駆動されるとき一体的に駆動される部材により駆動され、該レンズ成分を光軸方向に駆動する事を特徴としている。
請求項２に記載の発明は、複数のレンズ成分を有し、該複数のレンズ成分の内の少なくとも一つのレンズ成分を光軸方向に駆動する事によってズーミングを行うズームファインダーにおいて、該ズームファインダーは、少なくとも該複数のレンズ成分を保持するとともに、該レンズ成分を光軸方向に駆動するカムを有するファインダーユニットとして構成され、該ファインダーユニットがカメラ本体に組み込まれたとき、撮影レンズ鏡胴の一部を成しズーミング時に光軸方向に移動する部材によって上記カムが駆動される構成となることを特徴としている。
【０００７】
また、請求項３に記載の発明は、前記カムが、一方の面に前記レンズ成分を駆動するための溝状の有底カムを有し、他方の面に前記鏡胴部材と連動するための溝状の有底カムを有する事を特徴としている。
【０００８】
また、請求項４に記載の発明は、前記カムと前記駆動するレンズ成分とを係合させるための開口部を備え、該開口部は、前記ズーミングを行う駆動領域において、常に前記カムにより覆われている事を特徴としている。
【０００９】
また、請求項５に記載の発明は、前記鏡胴部材が撮影レンズ鏡胴内の直進筒である事を特徴としている。
【００１０】
また、請求項６に記載の発明は、前記直進筒を取り囲む固定筒を前記撮影レンズ鏡胴内に有し、該固定筒は、前記カムと前記直進筒とを係合させるための開口部を備え、該開口部は、前記ズーミングを行う駆動領域において、常に前記カムにより覆われている事を特徴としている。
また、請求項７に記載の発明は、ファインダー台板をさらに備え、前記カムは該ファインダー台板に組み込まれている事を特徴としている。また、請求項８に記載の発明は、前記ファインダー台板がファインダーガイド軸を備え、該ファインダーガイド軸によって前記レンズ成分が保持される事を特徴としている。また、請求項９に記載の発明は、前記ファインダー台板に前記レンズ成分が接着固定される事を特徴としている。
【００１１】
【発明の実施の形態】
以下、本発明の実施の形態について、図面を参照しながら説明する。図１〜図４は、本発明のズームファインダーの具体的な構成の一例を示す図であり、図１は正面図、図２は上面図、図３は背面図、図４は下面図である。ここで、図２の上面図は、カバーシートを外した状態を表している。同図に示すように、本実施形態のファインダー光学系は、対物側より順に、対物レンズＧ１，Ｇ２，Ｇ３，Ｇ４、略台形形状の対物プリズム１１、ファインダーＬＣＤ１２、略三角形状の接眼プリズム１３、及び接眼レンズ１４より成っている。
【００１２】
また、ファインダー台板１は、本実施形態におけるズームファインダー全体のフレームを構成していて、対物レンズＧ１は、そのファインダー台板１との間にＧ１絞りＳを挟んで接着，固定されている。そして、対物レンズＧ２，Ｇ３がこの光学系の光軸ｘ方向に移動して、ズーミングを行う仕組みである。詳しくは後述する。さらに、対物レンズＧ４は、対物プリズム１１との間に図示しないＧ４絞りを挟んで位置決め，接着されており、その対物プリズム１１はファインダー台板１に嵌合保持されている。
【００１３】
また、ファインダーＬＣＤ１２は視野枠１５に接着されており、その視野枠１５がファインダー台板１に嵌合保持されている。そして、接眼プリズム１３はファインダー台板１に嵌合保持されている。さらに、接眼レンズ１４はファインダー台板１に接着，固定されている。
【００１４】
ところで、図６にプリズム部を縦断面図で示すように、対物プリズム１１の像面近傍にはプリズムリブ１１ａがあり、また、ファインダー台板１のそれに対応する位置には台板凹部１ｊがある。それにより、対物系に外部から入り込んだゴミが、像面へ侵入するのを防止している。また、接眼プリズム１３と像面との間には、ファインダー台板１から台板リブ１ｋが突出しており、接眼プリズム１３部分のゴミが、像面へ侵入するのを防止している。
【００１５】
また、図２や接眼レンズ１４付近の縦断面図である図７に示すように、ファインダー台板１に取り付けられている接眼レンズ１４の外周部には、リブ１４ａが設けられている。これは、図７に示すカメラ本体の外装１８に外面を沿わせた形となっていて、これにより、接眼レンズ１４が外装１８の近辺に配置される場合にも、レンズ面に傷を付ける事なく組立を行う事ができ、且つ良好な外観を保つ事ができる。
【００１６】
図２において、玉枠５と一体的に形成されている対物レンズＧ２は、ファインダー台板１に設けられているファインダーガイド軸２ａに軸方向に摺動自在に保持されている。但し、このファインダーガイド軸２ａは、対物レンズＧ３を摺動自在に保持する後述のファインダーガイド軸２ｂに沿って、その下側に配設されており、同図においては図示されていない。また、玉枠５は、ファインダーガイド軸２ａを取り巻くところの、破線で示したＧ２付勢スプリング３ａにより、いわゆる圧縮コイルバネの作用で、前方（同図の対物側）へ付勢されている。そして、玉枠５の下面より、カムフォロワー４が突出している。
【００１７】
ここで、図１の正面図の内、（ａ）は正面外観図、（ｂ）は正面断面図であるが、同図（ｂ）に示すように、玉枠５の下面より突出しているカムフォロワー４は、ファインダー台板１の底部に開けられている開口部１ｅを貫通し、その下方に設けられている平板状のカム（平カム）であるファインダーカム６上面に溝状に設けられた有底カムであるＧ２カム６ａに係合しつつ、そのファインダーカム６引いてはＧ２カム６ａの動作に追従して位置決めされる。
【００１８】
尚、開口部１ｅは、ズーミングを行う駆動領域においては、常にファインダーカム６によって覆われた状態となっている。それにより、ファインダー内部からカメラ本体内部へと光が洩れる事を防いでいる。また、同図においては、上記ファインダーガイド軸２ａ及びＧ２付勢スプリング３ａが、軸方向より見た状態で示されている。また、同様にして、ここでの光軸ｘの方向は、紙面に垂直である。
【００１９】
図４では、上記ファインダーカム６を下方から見た様子が示されている。同図に示すように、ファインダーカム６上面に設けられた破線で示す直線溝状のＧ２カム６ａの側面には、カムフォロワー４が常に当接している。これは、上記Ｇ２付勢スプリング３ａからの前方（対物側）への付勢力によるものであり、同図にαで示すようなある圧力角を持っていて、これにより玉枠５に対して、対物側から見て常に時計回りの力のモーメントがファインダーガイド軸２ａの周りに働く（図１参照）。そして、図１及び図２に示すファインダー台板１のガイド面１ａに、図２に示す玉枠５の当接部５ａが当接する事により、玉枠５は回転止めされる。
【００２０】
上記と同様にして、図２に示すように、玉枠７と一体的に形成されている対物レンズＧ３は、ファインダー台板１に設けられているファインダーガイド軸２ｂに軸方向に摺動自在に保持されている。この玉枠７は、ファインダーガイド軸２ｂを取り巻くところの、Ｇ３付勢スプリング３ｂにより、いわゆる圧縮コイルバネの作用で、後方（同図の接眼側）へ付勢されている。そして、玉枠７の下面より、カムフォロワー８が突出している。
【００２１】
また、図１（ｂ）に示すように、玉枠７の下面より突出しているカムフォロワー８は、ファインダー台板１の底部に開けられている開口部１ｆを貫通し、その下方に設けられている平板状のファインダーカム６上面に溝状に設けられた有底カムであるＧ３カム６ｂに係合しつつ、そのファインダーカム６引いてはＧ３カム６ｂの動作に追従して位置決めされる。尚、開口部１ｆは、ズーミングを行う駆動領域においては、常にファインダーカム６によって覆われた状態となっている。それにより、ファインダー内部からカメラ本体内部へと光が洩れる事を防いでいる。また、同図においては、上記ファインダーガイド軸２ｂ及びＧ３付勢スプリング３ｂが、軸方向より見た状態で示されている。
【００２２】
また、図４に示すように、ファインダーカム６に設けられた破線で示す直線溝状のＧ３カム６ｂの側面には、カムフォロワー８が常に当接している。これは、上記Ｇ３付勢スプリング３ｂからの後方（接眼側）への付勢力によるものであり、同図にβで示すようなある圧力角を持っていて、これにより玉枠５に対して、対物側から見て常に時計回りの力のモーメントがファインダーガイド軸２ｂの周りに働く（図１参照）。そして、図１及び図２に示すファインダー台板１のガイド面１ａに、図２に示す玉枠７の当接部７ａが当接する事により、玉枠７は回転止めされる。
【００２３】
但し、この場合は、上記カムフォロワー４の圧力角αに対して、カムフォロワー８の圧力角βは比較的小さく、生じる力のモーメントも小さいので、これを補うために、図１，図２に示すように、Ｇ３付勢スプリング３ｂの両端部に腕３ｂ′，３ｂ″を設けて、いわゆるねじりコイルバネの働きを兼用させ、それぞれの腕をファインダー台板１のガイド面１ｂ及び玉枠７側面の突起７ｂに係合させる事により、確実に上記力のモーメントを発生させるようにしている。
【００２４】
さらに、ファインダーカム６には、図１（ｂ）に示すように、その下面に溝状に、有底カムである駆動カム６ｃが設けられており、ここに、二点鎖線で模式的に示す直進筒９の上部より突出したピン９ａが係合している。この直進筒９は、図示しないカメラ本体に設けられた撮影レンズ鏡胴の一部を成すものであり、図５に側面縦断面図で示すように、同じく撮影レンズ鏡胴の一部を成す固定筒１０に取り囲まれた状態であって、この上部に設けられた開口部としての長穴１０ａにピン９ａが貫通しつつ、これに沿って矢印Ａで示す如く、ズーミング時に光軸Ｘ方向にワイド端（Ｗ）からテレ端（Ｔ）まで移動する。
【００２５】
この移動時にピン９ａから駆動カム６ｃに駆動力が伝達され、ファインダーカム６が駆動される。尚、長穴１０ａは、ズーミングを行う駆動領域においては、常にファインダーカム６によって覆われた状態となっている。これにより、外部からの光が鏡胴内部へ洩れるのを防いでいる。
【００２６】
また、ワイド端位置の、テレ端とは反対側には、沈胴領域に対応する部分がある。その部分は、組み込み用幅広部６ｆと呼ばれ、ファインダーユニットをカメラ本体（鏡胴）に組み込むときに、容易に直進筒９のピン９ａと係合できるように、幅を広くしてある（図４参照）。
【００２７】
そして、図４に示すように、直進筒９のピン９ａが９ａ（Ｗ）で示すワイド端位置から９ａ（Ｔ）で示すテレ端位置までの間を相対移動するに従って、ファインダーカム６は、その曲線溝状の駆動カム６ｃにより、矢印Ｂで示す如くワイド端（Ｗ）位置からテレ端（Ｔ）位置までの間を左右に駆動される。ここで、ファインダーカム６は、左右にそれぞれ延びるアーム６ｄ，６ｅがそれぞれファインダー台板１のガイド部１ｃ，１ｄにガイドされる事により、左右に摺動自在に直進ガイドされている。
【００２８】
ファインダーカム６をファインダー台板１に組み込むときは、同図に示すファインダーカム６のカム組み込み用凹部６ｇを、ファインダー台板１のカム保持用凸部１ｇに合わせて、同図の紙面上方から組み込み、その状態からファインダーカム６をテレ方向へ移動する事により、ファインダーカム６のアーム６ｄ，６ｅがガイド部１ｃ，１ｄ及びカム保持用凸部１ｇにガイドされる。
【００２９】
尚、ファインダーカム６の組み込み時は、図２に示すように、ファインダーカム６のアーム６ｅを、ファインダー台板１のカム脱落防止用突起１ｈを避けるように、破線で示すように少し撓ませて組み込み、テレ方向にスライドさせる事で、正規の状態となる。その状態から組み込み位置にファインダーカム６を戻そうとしても、アーム６ｅの先端が、カム脱落防止用突起１ｈに当接するため、不用意にファインダーカム６が脱落するのを防止する事ができる。また、図４に示すように、駆動カム６ｃのテレ端は、多少の余裕を見込んで長くしてあり、ピン９ａの移動範囲が誤差により大きくなっても、無理な力がかからないようにしてある。
【００３０】
ファインダーカム６が駆動されると、カムフォロワー４及び８は、それぞれＧ２カム６ａ及びＧ３カム６ｂに対して、同図にそれぞれ４（Ｗ）及び８（Ｗ）で示すワイド端位置からそれぞれ４（Ｔ）及び８（Ｔ）で示すテレ端位置までの間を相対移動する。このとき、図２に示すように、対物レンズＧ２は、Ｇ２′，Ｇ２″で表すような位置へとその光軸ｘ方向に駆動され、対物レンズＧ３も、Ｇ３′，Ｇ３″で表すような位置へとその光軸ｘ方向に駆動されて、ファインダーのズーミングが達成される。これらカムフォロワー４，８及びピン９ａのワイド端及びテレ端の位置関係は、図２においても示されている。
【００３１】
尚、図４に示す１６は、上記ファインダーＬＣＤ１２とカメラ本体とを電気的に接続するフレキシブル基板である。そして、図４及び図６に示すように、ファインダーＬＤＣ１２から出ているフレキシブル基板１６を曲げてファインダー台板１に沿わせ、その下からフレキ押さえシート１７を貼る事により、フレキシブル基板１６を固定するとともに、ファインダー台板１の開口部１ｉを塞ぎ、像面にゴミが侵入するのを防いでいる。また、接眼プリズム１３ａのダハ部１３ａを有効に利用して、フレキシブル基板１６を折り返している。１９はカバーシートである。その他、上述した各図におけるズーミングの位置は、ワイド端（Ｗ）の状態を基準として描いてある。
【００３２】
尚、特許請求の範囲で言うレンズ成分は、実施形態における対物レンズに対応しており、カムは、ファインダーカム６に対応している。
【００３３】
【発明の効果】
以上説明したように、本発明によれば、低コストで省スペースであり、且つ撮影レンズ鏡胴とファインダーズームとのズレが少なく、しかも組立性が良くて機能，性能の保障がしやすいズームファインダーを提供する事ができる。
【図面の簡単な説明】
【図１】本発明のズームファインダーの具体例を示す図（正面図）。
【図２】本発明のズームファインダーの具体例を示す図（上面図）。
【図３】本発明のズームファインダーの具体例を示す図（背面図）。
【図４】本発明のズームファインダーの具体例を示す図（下面図）。
【図５】撮影レンズ鏡胴部分の側面縦断面図。
【図６】フレキシブル基板の保持状態を示すプリズム部縦断面図。
【図７】接眼レンズ付近の縦断面図。
【符号の説明】
１    ファインダー台板
２ａ，２ｂ    ファインダーガイド軸
３ａ    Ｇ２付勢スプリング
３ｂ    Ｇ３付勢スプリング
４，８    カムフォロワー
５，７    玉枠
６    ファインダーカム
６ａ    Ｇ２カム
６ｂ    Ｇ３カム
６ｃ    駆動カム
９    直進筒
９ａ    ピン
１０    固定筒
１１    対物プリズム
１２    ファインダーＬＣＤ
１３    接眼プリズム
１４    接眼レンズ
１５    視野枠
１６    フレキシブル基板
１７    フレキ押さえシート
１８    外装
１９    カバーシート
Ｇ１，Ｇ２，Ｇ３，Ｇ４    対物レンズ
Ｓ    Ｇ１絞り
【図１】
0003788062.tif 000002
【図２】
0003788062.tif 000003
【図３】
0003788062.tif 000004
【図４】
0003788062.tif 000005
【図５】
0003788062.tif 000006
【図６】
0003788062.tif 000007
【図７】
0003788062.tif 000008